(57)【特許請求の範囲】
【請求項１】
床パンの裏面から下方に向かって補強リブが突設されており、この補強リブは、浴槽部側と洗い場側の両方に設けられて床パンの外周部から上方に立設されている壁載置部の上面にスタッキング積みの際に載置されるスタッキング用の載置用リブと、床パンが設置される床スラブの上方に突出している逆梁部を避けるための逆梁避け用リブと、浴槽部及び洗い場の下面に設けられる補強専用リブとで構成され、上記載置用リブと逆梁避け用リブとを連続して設けると共に、載置用リブの下端面と逆梁避け用リブの下端面とを略同じ高さレベルとし、上記洗い場の下面の補強専用リブの下方への突出長を、洗い場側の載置用リブを構成する２つのコーナーリブの下方への突出長よりも短くしたことを特徴とする床パンの構造。
【請求項２】
床パンには洗い場と浴槽部とが隣接して一体に設けられ、浴槽部よりも一段高く形成された洗い場の下面のコーナー部から下方に向かって洗い場側の載置用リブが突出しており、洗い場の下面のコーナー部以外の部位に排水管を収納可能としたことを特徴とする請求項１記載の床パンの構造。
【発明の詳細な説明】
【０００１】
【発明の属する技術分野】
本発明は、床パンの構造に関するものである。
【０００２】
【従来の技術】
従来、床パンを裏面から補強するために、床パンの裏面から下方に向かって補強リブが突出してある。この補強リブは、床パンをスタッキング積みする際に、下段の床パンの外周部から上方に立設されている壁載置部の上面にスタッキング積みの際に載置されるスタッキング用の載置用リブを備えている。この載置用リブによって床パン同士を水平姿勢で安定良くスタッキング積みできるようにしてある。
【０００３】
ところが、床パンが設置される床スラブ上には逆梁部が突出している場合があり、特に床パンの裏面から下方に向かって補強リブを突出させた構造にあっては、補強リブが逆梁部と干渉して床パンを設置できなくなり、この場合、逆梁部に対応できる床パンを別途作製する必要が生じ、コストが高くつくという問題がある。
【０００４】
【発明が解決しようとする課題】
本発明は、上記の従来例の問題点に鑑みて発明したものであって、その目的とするところは、床パンの裏面から補強リブを突出させてスタッキング可能とした構造でありながら、逆梁部が突出している床スラブにも対応できるようにした床パンの構造を提供するにある。
【０００５】
【課題を解決するための手段】
上記課題を解決するために本発明は、床パン１の裏面から下方に向かって補強リブ２が突設されており、この補強リブ２は、浴槽部８側と洗い場側７の両方に設けられて床パン１の外周部から上方に立設されている壁載置部３の上面にスタッキング積みの際に載置されるスタッキング用の載置用リブ４と、床パン１が設置される床スラブ１０の上方に突出している逆梁部９を避けるための逆梁避け用リブ５と、浴槽部８及び洗い場７の下面に設けられる補強専用リブ６とで構成され、上記載置用リブ４と逆梁避け用リブ５とを連続して設けると共に、載置用リブ４の下端面４ａと逆梁避け用リブ５の下端面５ａとを略同じ高さレベルとし、上記洗い場７の下面の補強専用リブ６の下方への突出長Ｅを洗い場７側の載置用リブ４を構成する２つのコーナーリブの下方への突出長Ｄよりも短くしたことを特徴としており、このように構成することで、下段の床パン１の壁載置部３の上面に上段の床パン１の載置用リブ４を載置することで、複数の床パン１のスタッキング積みが可能となり、また床パン１施工時には逆梁避け用リブ５によって逆梁部９との干渉を避けることができ、逆梁部９が存在している床スラブ１０にも対応できる。また、逆梁避け用リブ５と載置用リブ４とを連続させることによって床パン１の補強リブ２が途切れることがなく、床パン１を十分に補強できるようになる。さらに洗い場７の下面の中央部側の補強専用リブ６の突出長Ｅを、洗い場７側の載置用リブ４を構成する２つのコーナーリブの突出長Ｄよりも短くしてあるので、床パン１の施工時に、洗い場７の下面の中央部側に沿って排水管１１を収納できるようになる。例えば浴槽部８側の排水と浴槽部８よりも一段高い位置にある洗い場７側の排水とを共通の排水管１１に集めて、この共通の排水管１１を洗い場７側の下面に沿って配管できるようになる。
【０００６】
また上記床パン１には洗い場７と浴槽部８とが隣接して一体に設けられ、浴槽部８よりも一段高く形成された洗い場７の下面のコーナー部から下方に向かって洗い場７側の載置用リブ４が突出しており、洗い場７の下面のコーナー部以外の部位に排水管１１を収納可能とするのが好ましく、この場合、例えば浴槽部８側の排水と洗い場７側の排水とを行う排水管１１を洗い場７側の下面に収納可能となる。
【０００７】
【発明の実施の形態】
以下、本発明を添付図面に示す実施形態に基づいて説明する。
【０００８】
本実施形態の床パン１は、例えばユニットルームに使用され、図２に示すように、洗い場７と浴槽部８とが隣接して一体に設けられている。
【０００９】
床パン１の外周部には、上方に向かって壁載置部３が立設されている。ここでは、洗い場７の上面は浴槽部８の上面よりも一段高く形成されているが、洗い場７側の壁載置部３の突出高さを浴槽部８側の壁載置部３よりも低くすることで、洗い場７側の壁載置部３の上面と浴槽部８側の壁載置部３の上面とを同じ高さにしてある。床パン１の施工時において、壁載置部３の上面には図３に示すように、枠材１２と面板１３とからなる壁パネル１４の下面が載設される。図中の１５は壁パネル１４を固定するための固定具である。
【００１０】
床パン１の裏面には下方に向かって補強リブ２が突出されている。本例の補強リブ２は床パン１の裏面全体に亘って縦横格子状に突設されている。この補強リブ２は、床パン１の壁載置部３の上面に載置されるスタッキング用の載置用リブ４と、床スラブ１０上の逆梁部９を避けるための逆梁避け用リブ５と、補強のみを行う補強専用リブ６とで構成されている。なお補強専用リブ６は、載置用リブ４及び逆梁避け用リブ５が設けられる部位以外の浴槽部８の下面全体及び洗い場７の下面全体に亘って設けられている。
【００１１】
上記スタッキング用の載置用リブ４は、浴槽部８側と洗い場７側の両方に設けられている。図５のように洗い場７の下面は浴槽部８の下面よりも一段高く形成され、さらに壁載置部３の下面は洗い場７側及び浴槽部８側よりもそれぞれ高く形成されているが、洗い場７側の載置用リブ４の下端面４ａと浴槽部８側の載置用リブ４の下端面４ａとを略同じ高さレベルとなるように、洗い場７側の載置用リブ４及び浴槽部８側の載置用リブ４の下方への突出長Ａ（図１）を、補強専用リブ６の下方への突出長Ｂ（図１）よりもそれぞれ長くしてある。これにより、床パン１のスタッキング積み時には、図４、図５に示すように、下段の床パン１に対して上段の床パン１を傾くことなく安定良く積層できるようになっている。
【００１２】
また図４に示す例では、洗い場７側の載置用リブ４は、洗い場７の下面のコーナー部ａからそれぞれ下方に向かって突出した２つのコーナーリブａ１，ａ１によって形成されており、洗い場７の下面の中央部側のリブは補強専用リブ６となっている。また洗い場７の下面の中央部側の補強専用リブ６の突出長Ｅ（図２）を洗い場７側の載置用リブ４の突出長Ｄ（図２）よりも短くしてあり、これにより、洗い場７の下面側に沿って排水管１１が収納可能となっている。さらに、図５に示すように、浴槽部８側の載置用リブ４の下端面４ａと洗い場７側の載置用リブ４の下端面４ａとは略同じ高さレベルとなっており、これによりスタッキング積み時には下段の床パン１の壁載置部３上面に水平姿勢で安定良く載置できるようになっている。
【００１３】
逆梁避け用リブ５は、本例では浴槽部８側の載置用リブ４の隣りに隣接し、浴槽部８側の下面の幅方向全長に亘って設けらている。なお、逆梁避け用リブ５の形成位置は、図１、図２、図４の例に限られるものではなく、適宜変更可能である。この逆梁避け用リブ５は、図１に示すように、床スラブ１０上に突出している逆梁部９を避けるためのものであり、補強専用リブ６の突出長Ｂよりも突出長Ｆ（図１）が短くなるように補強リブ２の一部を切除して形成されている。逆梁避け用リブ５は載置用リブ４と連続して設けられており、逆梁避け用リブ５によって床パン１は逆梁部９が存在している床スラブ１０にも設置可能となっている。ここで、逆梁避け用リブ５の突出長Ｆを短くしすぎると補強リブとしての機能が失われ、逆に突出長Ｆを長くしすぎると逆梁部９と干渉しやすくなる。そこで、本発明では、逆梁避け用リブ５の下端面５ａがスタッキング用の載置用リブ４の下端面４ａと略同じ高さレベルとなるように、逆梁避け用リブ５の突出長Ｄを決めている。これにより、逆梁避け用リブ５の補強リブとしての機能を確保しながら、同時に逆梁部９との干渉防止を図ることができるものである。
【００１４】
しかして、上記構成の床パン１は、浴槽部８側の壁載置部３の上面と浴槽部８側の壁載置部３の上面とが同じ高さとなっており、且つ、床パン１の裏面に突出している浴槽部８側の載置用リブ４の下端面４ａと洗い場７側の載置用リブ４の下端面４ａとが同じ高さとなっている。従って、図５に示すように、スタッキング積み時には、上段の床パン１の浴槽部８側の載置用リブ４の下端面４ａを下段の床パン１の浴槽部８側の壁載置部３の上面に載置し、上段の床パン１の洗い場側７側の載置用リブ４の下端面４ａを下段の床パン１の洗い場７側の壁載置部３の上面に載置することで、図４に示すように、複数の床パン１を水平姿勢で安定良くスタッキング積みができるようになる。またスタッキング積み時には図５に示すように、上段の床パン１の浴槽部８側の補強専用リブ６が下段の床パン１の浴槽部８内に所定の隙間をあけて配置され、上段の床パン１の洗い場７側の補強専用リブ６が下段の床パン１の洗い場７内に所定の隙間をあけて配置されるものである。
【００１５】
一方、床パン１の施工時において、浴槽部８側の載置用リブ４の隣りには、床スラブ１０から突出している逆梁部９を避けるための逆梁避け用リブ５が形成されているので、図１、図２のように床パン１を逆梁部９が突出している床スラブ１０上に設置する際には、逆梁避け用リブ５によって逆梁部９との干渉を避けることができる。従って、床パン１は逆梁部９が存在している床スラブ１０にも、存在していない床スラブ１０にもいずれも設置可能となるので、従来のように逆梁部９に対応できる専用の床パン１を別途作製する必要がなく、コスト削減を図ることができる。そのうえ、逆梁避け用リブ５はその突出長Ｆが短いとはいえ、載置用リブ４の下端面４ａと略同じ高さレベルまで突出しているので、逆梁避け用リブ５においても補強リブとしての機能が確保されており、しかもこの逆梁避け用リブ５を挟んで載置用リブ４と補強専用リブ６とが連続して一体形成されているので、床パン１の補強リブ２が途切れることがなく、床パン１を十分に補強できるものである。
【００１６】
また、洗い場７の下面の中央部側の補強専用リブ６の突出長Ｅ（図２）を、洗い場７側の載置用リブ４を構成する２つのコーナーリブの突出長Ｄ（図２）よりも短くしてあるので、洗い場７の下面の中央部側に沿って排水管１１を収納できるようになる。例えば浴槽部８側の排水と浴槽部８よりも一段高い位置にある洗い場７側の排水とを共通の排水管１１に集めて、この共通の排水管１１を洗い場７側の下面に沿って配管できるようになる。従って、床パン１の裏面のデッドスペースを有効に利用できると共に、排水管１１の引き出し方向を三方向（図４の矢印ニ、ホ、ヘで示す方向）のいずれかに選択できるので、現場状況に応じた配管作業を容易に行うことができるものである。
【００１７】
【発明の効果】
上述のように請求項１記載の発明にあっては、床パンの裏面から下方に向かって補強リブが突設されており、この補強リブは、浴槽部側と洗い場側の両方に設けられて床パンの外周部から上方に立設されている壁載置部の上面にスタッキング積みの際に載置されるスタッキング用の載置用リブと、床パンが設置される床スラブの上方に突出している逆梁部を避けるための逆梁避け用リブと、浴槽部及び洗い場の下面に設けられる補強専用リブとで構成され、上記載置用リブと逆梁避け用リブとを連続して設けると共に、載置用リブの下端面と逆梁避け用リブの下端面とを略同じ高さレベルとし、上記洗い場の下面の補強専用リブの下方への突出長を洗い場側の載置用リブを構成する２つのコーナーリブの下方への突出長よりも短くしたので、下段の床パンの壁載置部の上面に上段の床パンの載置用リブを載置することで、複数の床パンのスタッキング積みが可能となり、また床パンを逆梁部が突出している床スラブ上に設置する際には、逆梁避け用リブによって逆梁部との干渉を避けることができるので、逆梁部が存在している床スラブにも対応できる。従って、従来のように逆梁部に対応するための専用の床パンを別途作製する必要がなく、コスト削減を図ることができる。そのうえ、逆梁避け用リブと載置用リブとを連続させることによって床パンの補強リブが途切れることがなく、床パンを十分に補強できるものである。さらに洗い場の下面の補強専用リブの突出長を、洗い場側の載置用リブを構成する２つのコーナーリブの突出長よりも短くしてあるので、床パンの施工時に、洗い場の下面の中央部側に沿って排水管を収納できるようになる。例えば浴槽部側の排水と浴槽部よりも一段高い位置にある洗い場側の排水とを共通の排水管に集めて、この共通の排水管を洗い場側の下面に沿って配管できるようになる。従って、床パンの裏面のデッドスペースを有効に利用できると共に、排水管の引き出し方向を選択できるので、現場状況に応じた配管作業を容易に行うことができるものである。
【００１８】
また請求項２記載の発明は、請求項１記載の効果に加えて、床パンには洗い場と浴槽部とが隣接して一体に設けられ、浴槽部よりも一段高く形成された洗い場の下面のコーナー部から下方に向かって洗い場側の載置用リブが突出しており、洗い場の下面のコーナー部以外の部位に排水管を収納可能としたので、例えば浴槽部側の排水と洗い場側の排水とを行う排水管を洗い場側の下面に収納できるようになり、床パンの裏面のデッドスペースを有効に利用できる。
【図面の簡単な説明】
【図１】本発明の実施形態の一例を示す断面図である。
【図２】同上の床パンの施工時の断面図である。
【図３】同上の床パンの施工時の壁載置部付近の断面図である。
【図４】同上の床パンのスタッキング積み状態を説明する斜視図である。
【図５】同上の床パンのスタッキング積み状態を説明する側面図である。
【符号の説明】
１  床パン
２  補強リブ
３  壁載置部
４  載置用リブ
４ａ  下端面
５  逆梁避け用リブ
５ａ  下端面
７  洗い場
８  浴槽部
１０  床スラブ
１１  排水管
【図１】
0003589097.tif 000002
【図２】
0003589097.tif 000003
【図３】
0003589097.tif 000004
【図４】
0003589097.tif 000005
【図５】
0003589097.tif 000006